(57)【特許請求の範囲】
【請求項１】
ＰＴＴ(Push to Talk)通信機能を具備する携帯端末装置であって、
発言権自動保持を有効とするか否かの設定を記憶保持する記憶手段と、
入力部での発言権取得キーの押下の検知に応答して、前記記憶手段に記憶されている前記発言権自動保持の設定を参照し、前記発言権自動保持が有効に設定されている場合、発言権取得待ち状態において、発言権取得に成功するまで、予め定められた所定の時間間隔で、発言権取得動作を繰り返す制御を行う発言権自動取得手段と、
前記発言権自動保持が有効に設定されている状態で、前記発言権自動取得手段による発言権取得が成功した場合、
予め設定された時間が経過するまで、又は、
所定の操作若しくは所定の状態の検出が行われるまで、
前記取得した発言権を保持する制御を行う発言権自動保持手段と、
を備えている、ことを特徴とする携帯端末装置。
【請求項２】
前記記憶手段は、発言権自動保持時間を記憶保持し、
前記発言権自動保持手段は、前記発言権自動取得手段による発言権取得後、前記記憶手段に記憶されている発言権自動保持時間が経過するまで、前記取得した発言権を保持する制御を行う、ことを特徴とする請求項１記載の携帯端末装置。
【請求項３】
前記発言権自動保持手段は、発言の音声レベルが、予め定められたしきい値以下のまま予め定められた時間経過するまで、前記取得した発言権を保持する制御を行う、ことを特徴とする請求項１記載の携帯端末装置。
【請求項４】
前記発言権自動保持手段において、前記発言権取得キーの再押下が検出されるまで、前記取得した発言権を保持する制御を行う、ことを特徴とする請求項１記載の携帯端末装置。
【請求項５】
前記発言権自動取得手段において、前記発言権取得動作を繰り返す前記所定の時間間隔は、可変に設定自在とされている、ことを特徴とする請求項１記載の携帯端末装置。
【請求項６】
前記記憶手段に記憶される前記発言権自動保持が無効に設定されている場合には、発言権取得に成功したとき、前記発言権取得キーの押下中、取得した発言権を保持する制御を行う、構成とされている、ことを特徴とする請求項１記載の携帯端末装置。
【請求項７】
音声入力手段からの入力音声信号を受け音声認識を行う音声認識手段を備え、
前記発言権自動取得手段は、前記入力部での前記発言権取得キーの押下の検知のかわりに、前記音声認識手段での音声認識結果に基づき、発言権取得動作を行う、ことを特徴とする請求項１記載の携帯端末装置。
【請求項８】
ＰＴＴ(Push to Talk)通信機能を具備する携帯端末装置の制御方法であって、
発言権自動保持を有効とするか否かの設定を記憶手段に記憶保持しておき、
発言権取得キーの押下の検知に応答して、前記記憶手段に記憶されている前記発言権自動保持の設定を参照する工程と、
前記発言権自動保持が有効に設定されている場合、発言権取得待ち状態において、発言権取得に成功するまで、予め定められた所定の時間間隔で発言権取得動作を繰り返す制御を行う工程と、
前記発言権自動保持が有効に設定されている状態で、発言権取得に成功した場合、
予め設定された時間が経過するまで、又は、
所定の操作若しくは所定の状態の検出が行われるまで、
前記取得した発言権を保持する制御を行う工程と、
を含むことを特徴とする携帯端末装置の制御方法。
【請求項９】
前記記憶手段に、発言権自動保持時間を記憶保持しておき、
前記取得した発言権を保持する制御を行う工程は、発言権取得後、前記記憶手段に記憶されている発言権自動保持時間が経過するまで、前記取得した発言権を保持する、ことを特徴とする請求項８記載の携帯端末装置の制御方法。
【請求項１０】
発言権自動保持を有効とするか否かの設定を記憶保持する記憶手段を備え、ＰＴＴ(Push to Talk)通信機能を具備する携帯端末装置を構成するコンピュータに、
入力部での発言権取得キーの押下の検知を受け、前記記憶手段に記憶されている発言権自動保持の設定を参照し、前記発言権自動保持が有効に設定されている場合、発言権取得待ち状態において、発言権取得に成功するまで、予め定められた所定の時間間隔で発言権取得動作を繰り返す制御を行う発言権自動取得処理と、
前記発言権自動保持が有効に設定されている状態で、前記発言権自動取得処理による発言権取得が成功した場合、
予め設定された時間が経過するまで、又は、
所定の操作若しくは所定の状態の検出が行われるまで、
前記取得した発言権を保持する制御を行う発言権自動保持処理と、を実行させるプログラム。
【請求項１１】
請求項１０記載のプログラムにおいて、
前記記憶手段は、発言権自動保持時間を記憶保持し、
前記発言権自動保持処理において、発言権取得後、前記記憶手段に記憶されている発言権自動保持時間が経過するまで、前記取得した発言権を保持する制御を行う処理を前記コンピュータに実行させるプログラム。
【発明の詳細な説明】
【技術分野】
【０００１】
本発明は、通信端末装置に関し、特に、ＰＴＴ(Push to Talk)機能を具備した携帯端末装置及びその制御方法とプログラムに関する。
【背景技術】
【０００２】
携帯電話機、ＰＨＳ（Personal Handyphone System）、ＰＤＡ（Personal Data Assistance，Personal Digital Assistants：個人向け携帯型情報通信機器）等の携帯端末装置において、ＰＴＴ(Push to Talk)通信機能搭載のものがある。ＰＴＴ通信では、一人の使用者に発言権が与えられ、１人以上（一対一又は一対グループ）の通話サービス（半二重の音声対話サービス）が提供される。【０００３】
なお、ＰＴＴ通信機能を備えた無線電話機として、例えば特許文献１には、ＰＴＴ釦の押下に応じてユーザの音声をデジタル化しデータモードで基地局に送信し他の無線電話機で伝送し他の無線電話機では音声フレームの認識結果に応じて音声に変換する無線ＰＴＴインタネット放送が開示されている。また、特許文献２には、ＰＴＴモード設定時、釦スイッチの押下で入力音声の音声認識動作を行い、照合処理にＰＴＴ辞書を用いる構成が開示されている。そして発言権管理として、例えば特許文献３には、グループ内通話に参加している複数の無線端末局のうち、無線端末局の管理手段により無線端末局一局のみに発言許可信号を送出して発言権の管理を行う構成が開示されている。【０００４】
【特許文献１】特表２００２−５３６９２８号公報
【特許文献２】特開２００１−０４２８９４号公報
【特許文献３】特許第２５９０７５３号公報
【発明の開示】
【発明が解決しようとする課題】
【０００５】
ところで、参加者の多いＰＴＴ通信においては、発言権取得に成功するまでに、何度も、発言権取得操作を行う必要があり、煩雑である。例えば、既に他の参加者が発言権を取得している場合など、発言権の取得ができないため、煩わしい。【０００６】
また、発言権を保持するためには、発言権取得を行うキーを押下し続ける必要がある。【０００７】
近時、携帯電話機等の小型化、軽量化の進展が著しく、ＰＴＴ通信機能を備えた携帯端末装置において、発言権取得を行うためのキーに十分なサイズを確保できないことも多い。このため、発言権を保持するためにキーを押下し続けることが、困難であるか、操作上、ユーザに無理を強いることになる場合もある。【０００８】
したがって、本発明の目的は、発言権の自動取得を可能とする携帯端末装置及びその制御方法とプログラムを提供することにある。【０００９】
本発明の他の目的は、発言権取得操作、発言権保持操作の軽減等、操作性の向上、ユーザ・インターフェイスの向上を図る携帯端末装置及びその制御方法とプログラムを提供することにある。【００１０】
本発明のさらに他の目的は、発言権の管理機能の実装にあたり、小型化設計、操作キー等、装置設計の妨げとならない携帯端末装置及びその制御方法とプログラムを提供することにある。
【課題を解決するための手段】
【００１１】
本願で開示される発明は、前記課題を解決するため、概略以下の構成とされる。【００１２】
本発明の１つのアスペクト（側面）に係る装置は、ＰＴＴ(Push to Talk)通信機能を具備する携帯端末装置であって、発言権自動保持を有効とするか否かの設定を記憶保持する記憶手段と、入力部での発言権取得キーの押下の検知に応答して、前記記憶手段に記憶されている前記発言権自動保持の設定を参照し、前記発言権自動保持が有効に設定されている場合、発言権取得待ち状態において、発言権取得に成功するまで、予め定められた所定の時間間隔で、発言権取得動作を繰り返す制御を行う発言権自動取得手段と、を備えている。【００１３】
本発明において、好ましくは、前記記憶手段は、発言権自動保持時間を記憶保持し、前記発言権自動取得手段による発言権取得後、前記記憶手段に記憶されている発言権自動保持時間が経過するまで、前記取得した発言権を保持する制御を行う発言権自動保持手段を備えている。【００１４】
本発明において、発言の音声レベルが、予め定められたしきい値以下のまま予め定められた時間経過するまで、前記取得した発言権を保持する制御を行う発言権自動保持手段を備えた構成としてもよい。【００１５】
本発明において、前記発言権取得キーの再押下が検出されるまで、前記取得した発言権を保持する制御を行う発言権自動保持手段を備えた構成としてもよい。【００１６】
本発明において、前記発言権自動取得手段において、前記発言権取得動作を繰り返す前記所定の間隔は、可変に設定自在とされる構成としてもよい。【００１７】
本発明において、前記発言権自動保持が無効に設定されている場合には、発言権取得に成功したとき、前記発言権取得キーの押下中、取得した発言権を保持する制御を行う、構成としてもよい。【００１８】
本発明において、音声信号を入力して音声認識を行う音声認識手段を備え、前記発言権自動取得手段が、前記入力部での前記発言権取得キーの押下の検知のかわりに、前記音声認識手段での音声認識結果に基づき、発言権取得動作を行う、構成としてもよい。【００１９】
本発明の他のアスペクトに係る方法は、ＰＴＴ(Push to Talk)通信機能を具備する携帯端末装置の制御方法であって、
発言権自動保持を有効とするか否かの設定を記憶手段に記憶保持しておき、
発言権取得キーの押下の検知に応答して、前記記憶手段に記憶されている前記発言権自動保持の設定を参照する工程と、
前記発言権自動保持が有効に設定されている場合、発言権取得待ち状態において、発言権取得に成功するまで、予め定められた所定の時間間隔で発言権取得動作を繰り返す制御を行う工程と、
を含む。【００２０】
本発明に係る方法において、前記記憶手段に、発言権自動保持時間を記憶保持し、発言権取得後、前記記憶手段に記憶されている発言権自動保持時間が経過するまで、前記発言権を保持する工程を含む、ようにしてもよい。【００２１】
本発明の他のアスペクトに係るコンピュータプログラムは、発言権自動保持を有効とするか否かの設定を記憶保持する記憶手段を備え、ＰＴＴ(Push to Talk)通信機能を具備する携帯端末装置を構成するコンピュータに、
入力部での発言権取得キーの押下の検知を受け、前記記憶手段に記憶されている発言権自動保持の設定を参照し、前記発言権自動保持が有効に設定されている場合、発言権取得待ち状態において、発言権取得に成功するまで、予め定められた所定の時間間隔で発言権取得動作を繰り返す制御を行う発言権自動取得処理を実行させるプログラムよりなる。【００２２】
本発明に係るプログラムにおいて、前記記憶手段は、発言権自動保持時間を記憶保持し、発言権取得後、前記記憶手段に記憶されている発言権自動保持時間が経過するまで、前記発言権を保持する発言権自動保持処理を前記コンピュータに実行させるようにしてもよい。【００２３】
本発明に係る通信端末装置は、発言権を取得して一又は複数の他の端末と半二重で通話する通信端末装置であって、発言権取得用の一度の操作に応答して、発言権待ち状態において、発言権取得に成功するまで、発言権取得動作を繰り返す制御を行う手段を備えている。
本発明に係る通信端末装置は、発言権取得に成功した場合、予め設定された時間が経過するまで、又は、所定の操作若しくは所定の状態の検出が行われるまで、前記取得した発言権を保持する制御を行う手段を備えている。
【発明の効果】
【００２４】
上記した本発明は、発言権を自動で取得可能としている。本発明によれば、ＰＴＴ通信時に発言権の自動取得および発言権の自動保持を行うことにより、発言権取得操作、発言権保持操作の軽減を行うなど、ユーザ・インターフェイスの向上に好適とされる。【００２５】
すなわち、本発明によれば、発言権を自動で取得可能になることから、参加者の多いＰＴＴ通信においても、発言権の取得を行うために、キーを１度押下すればよく、ユーザによるキー操作の軽減ができる。【００２６】
本発明によれば、発言権を自動で保持可能になることから、発言権を保持するために、発言権取得キーを押下し続ける必要がなく、押し続けることの困難な程小さい発言権取得キーを搭載した携帯端末装置の場合でも、容易に発言権が保持でき、操作性を向上している。【００２７】
また、本発明によれば、発言権取得キーを押下し易いように、大型に設計する必要がないことから、携帯端末装置の小型化設計の妨げとならない。【００２８】
さらに、本発明によれば、発言権取得キーを押下し易い形状にする必要がないため、携帯端末装置のデザインに合わせた発言権取得キーの形状とすることができる。【００２９】
さらにまた、本発明によれば、従来通り、発言権取得キーを押下している間、発言権を保持することも可能であるため、ユーザの好みに合わせることができ、ユーザ・インターフェイスを向上している。
【図面の簡単な説明】
【００３０】
【図１】本発明の一実施例の構成を示す図である。
【図２】本発明の一実施例の処理を説明する流れ図である。
【符号の説明】
【００３１】
１０  ＣＰＵ
２０  ＲＯＭ
３０  作業用メモリ
３５  不揮発メモリ
４０  送受信部
５０  入力部
５１  入力キー
６０  表示制御部
６１  表示部
７０  マイク
８０  スピーカー
９０  バス
１００  携帯端末装置（携帯電話機）
【発明を実施するための最良の形態】
【００３２】
上記した本発明についてさらに詳細に説述すべく、添付図面を参照して説明する。本発明の携帯端末装置は、各種設定や入力、ＰＴＴ通信中に発言要求を行う手段（５０、５１）と、装置内の各部の制御を行うＣＰＵ（１０）と、発言権自動保持設定や発言権自動保持時間などのユーザ設定を保持する記憶手段（３５）と、各種設定内容、通信状況等を表示する手段（１０、６０、６１）と、無線により着信を受けたり通話、ＰＴＴ通信を行うための送受信手段（４０）と、通話やＰＴＴ通信で送話するための手段（７０）と、メロディ・音声等を鳴動するための手段（８０）とを備えている。【００３３】
ＣＰＵ（１０）は、入力部（５０）で予め用意された発言権取得キー（５１）の押下を検知すると、その検出に応答して、記憶手段（３５）に記憶されている発言権自動保持の設定を参照し、前記発言権自動保持が有効に設定されている場合、発言権取得待ち状態となり、予め定められた所定の時間間隔で発言権取得を試み、発言権取得に成功するまで繰り返し、発言権を取得する制御を行う（発言権自動取得処理）。またＣＰＵ（１０）は、前記記憶手段（３５）に記憶されている発言権自動保持時間が経過するまで、取得した発言権を保持する制御を行う（発言権自動保持処理）。発言権自動取得処理及び発言権自動保持処理は、好ましくは、ＣＰＵ（１０）で実行されるプログラムによりその処理機能を実現される。以下、具体的な実施例に即して説明する。
【実施例】
【００３４】
図１は、本発明の一実施例の携帯端末装置の構成を示す図である。図１には、携帯端末装置（携帯電話機）１００の回路構成の要部が示されている。携帯電話機１００は、ＣＰＵ（中央処理装置）１０を備え、ＣＰＵ１０は、バス９０を介して装置内の各部と接続されている。【００３５】
このうちＲＯＭ２０は、ＣＰＵ１０が実行するための各種の制御用プログラム等の固定的なデータを格納したリード・オンリ・メモリである。【００３６】
作業用メモリ３０はＲＡＭ（ランダム・アクセス・メモリ）によって構成されており、ＣＰＵ１０がプログラムを実行する上で一時的に必要とされるデータを格納するようになっている。【００３７】
不揮発メモリ３５は、データの消去、書き込みを自由に行え、電源断時、記憶内容が消えない半導体メモリ（ＥＥＰＲＯＭ等）である。発言権自動保持設定や発言権自動保持時間などのユーザ設定を保持できるようになっている。【００３８】
送受信部４０は、無線によって着信や発信、通話、通信を行う回路である。【００３９】
入力部５０は、入力キー５１からのキー入力を検知する回路である。【００４０】
ＰＴＴ通信において発言を行う場合、入力キー５１のうち、所定のキー（専用のキー或いはオフフックキーなど）を押下または押下し続け、発言権の取得を行うことが必要である。【００４１】
表示制御部６０は、表示部６１の表示を制御する制御回路である。【００４２】
表示部６１は、図示しない装置本体の前面に配置されており、白黒あるいはカラーの液晶パネルあるいは有機ＥＬ（電子蛍光）等の表示装置である。【００４３】
マイク７０は、音声を送話するための装置である。【００４４】
スピーカー８０は、メロディ・音声・確認音等を鳴動するための装置である。【００４５】
図２は、本実施例の動作を説明するための流れ図であり、ＰＴＴ通信の開始から発言権の自動取得、発言権の自動保持、ＰＴＴ通信の終了に至る処理手順を表したものである。【００４６】
携帯電話機１００より、ＰＴＴ通信参加者に対して発信処理を行うとともに、ＰＴＴ開始処理を行う（ステップＳ２０１）。【００４７】
入力部５０でユーザによる発言権取得キーの押下を検知すると（ステップＳ２０２）、ＣＰＵ１０に割り込み等で通知され、ＣＰＵ１０は、不揮発メモリ３５に記憶保持されている発言権自動保持設定を参照する。【００４８】
不揮発メモリ３５に記憶保持されている発言権自動保持が有効に設定されている場合（ステップＳ２０３のＹＥＳ分岐）、発言権取得待ち状態となる（ステップＳ２０４）。【００４９】
ＣＰＵ１０は、発言権取得待ち状態では、例えば５秒間隔で発言権取得を試み、発言権取得に成功するまで繰り返す制御を行う（発言権自動取得機能）。なお、５秒のタイマー管理は、例えば装置１００内のタイマー（不図示）を用い、未だ発言権取得されていない状態でタイムアウト発生時、再び発言権取得を試み、タイマーをスタートさせる制御を行う。発言権が取得された場合に、タイマーで計時中の場合、タイマーを止める。【００５０】
発言権を取得すると（ステップＳ２０５）、不揮発メモリ３５に保持されている発言権自動保持時間が経過するまで（不図示のタイマーで管理）、発言権を保持する（発言権自動保持機能）。【００５１】
不図示のタイマーでのタイムアウトにより、発言権自動保持時間が経過したら、発言権を解放する（ステップＳ２０６）。【００５２】
発言権自動保持が無効に設定されている場合（ステップＳ２０３のＮＯ分岐）、発言権取得に成功すれば（ステップＳ２０７のＹＥＳ分岐）、発言権取得キー押下中、発言権を保持する（ステップＳ２０８）。すなわち、従来の端末の機能も兼ね備えている。【００５３】
発言権自動保持が無効に設定されている場合において、発言権取得に失敗した場合には（ステップＳ２０７のＮＯ分岐）、再度、発言権取得キーの押下が行われる。【００５４】
ＰＴＴ通信を終了した場合（ステップＳ２０９のＹＥＳ分岐）、ＰＴＴ通信終了処理が行われる（ステップＳ２１０）。【００５５】
本実施例によれば、発言権を自動で取得可能になることから、参加者の多いＰＴＴ通信においても、発言権の取得を行うために、キーを１度押下すればよく、ユーザによるキー操作の軽減ができる。【００５６】
発言権を自動で保持可能になることから、発言権を保持するために、発言権取得キーを押下し続ける必要がなく、押し続けることの困難な程小さい発言権取得キーを搭載した携帯端末装置の場合でも、容易に発言権が保持できる。【００５７】
また、本実施例においては、発言権取得キーを押下し易いように、大型に設計する必要がないことから、携帯端末装置の小型化設計の妨げとならない。【００５８】
さらに、発言権取得キーを押下し易い形状にする必要がないことから、携帯端末装置のデザインに合わせた発言権取得キーの形状とすることができる。【００５９】
さらに、従来通り、発言権取得キーを押下している間、発言権を保持することも可能であるため、ユーザの好みに合わせることができる。【００６０】
上記実施例では、不揮発メモリ３５に保持されている発言権自動保持時間が経過するまで、発言権を保持する場合について説明したが、発言のマイク入力レベルが所定のしきい値以下のまま一定時間（例えば１０秒間）経過するまで、発言権を保持する動作としても、同様の効果が得られる。【００６１】
上記実施例では、発言権自動保持時間が経過するまで、発言権を保持する構成とされているが、発言権取得キーを再度押下するまで、発言権を保持する動作としても良い。【００６２】
さらに、発言権取得をキー操作にて行う場合のほかにも、音声認識など他の手段により発言権取得を行う動作としても、同様の効果が得られる。特に制限されないが、バス９０に接続されるマイク７０は、アナログ入力音声信号をデジタル音声信号に変換し、バス９０を介してデジタル音声信号をＣＰＵ１０に供給する。ＣＰＵ１０で実行される音声認識ソフトウエアが音声認識を行う。【００６３】
すなわち、音声認識による発言権取得は、マイク７０より入力されたユーザの音声をＣＰＵ１０にて解析を行い、ＲＯＭ２０に登録されている発言権取得用のキーワード（例えば「ハツゲンケン」）と照らし合わせ、合致した場合には、発言権取得動作を行うことによって実現可能である。なお、音声認識処理をＣＰＵで行う代わりに、ＤＳＰ（デジタルシグナルプロセッサ）等の音声認識部（不図示）をバス９０に接続する構成としてもよい。【００６４】
上記実施例では、発言権取得待ち状態では、一例として、５秒間隔で発言権取得を試み、発言権取得に成功するまで繰り返す場合について説明したが、本発明において、発言権を取得する間隔は５秒に限定されるものでないことは勿論である。すなわち、５秒以外の任意の間隔を用いても良い。また、発言権を取得する間隔は、ユーザが入力部５０を介して、任意の時間間隔に設定できるようにしても良い。【００６５】
本発明は、携帯電話機、ＰＨＳ（Personal Handyphone System）、ＰＤＡ（Personal Data Assistance，Personal Digital Assistants：個人向け携帯型情報通信機器）等の携帯端末装置であって、ＰＴＴ通信機能搭載の装置に用いて好適とされる。【００６６】
以上、本発明を上記実施例に即して説明したが、本発明は上記実施例の構成にのみ制限されるものでなく、本発明の範囲内で当業者であればなし得るであろう各種変形、修正を含むことは勿論である。
【図１】
0004798135.tif 000002
【図２】
0004798135.tif 000003